(57)【要約】【課題】既存の蛍光灯取付器具等の照明器具取付装置に光源を装着でき、且つ、光源の配置の自由度を得る。【解決手段】駆動装置１００は、一方向に長尺な支持部１０と、支持部１０に連結し、光源２０を保持する保持部（例えば一対のアーム３０からなる）と、光源２０を駆動させる駆動回路と、支持部１０の長手方向における両端部にそれぞれ形成された一対の被固定部４０を備える。被固定部４０の各々は、直管型照明器具が装着される照明器具取付装置５００の口金ソケット５２０に装着可能な形状に形成されている。一対の被固定部４０の少なくとも一方は受電端子である。保持部は、支持部１０の長手方向に対して交差する方向に向けて支持部１０より延伸し、当該保持部における支持部１０側とは反対側の端部にて光源２０を保持する。【選択図】図１
2014165137.tif 000002
【特許請求の範囲】
【請求項１】
一方向に長尺な支持部と、
前記支持部に連結し、光源を保持する保持部と、
前記光源を駆動させる駆動回路と、
前記支持部の長手方向における両端部にそれぞれ形成された一対の被固定部と、
を備え、
前記一対の被固定部の各々は、直管型照明器具が装着される照明器具取付装置の口金ソケットに装着可能な形状に形成され、
前記一対の被固定部のうちの少なくとも何れか一方は、前記駆動回路を経由して前記光源に供給される電力を前記口金ソケットから受電する受電端子であり、
前記保持部は、前記支持部の長手方向に対して交差する方向に向けて前記支持部より延伸し、当該保持部における前記支持部側とは反対側の端部にて前記光源を保持する駆動装置。
【請求項２】
前記保持部は、前記支持部に対する前記光源からの光の照射方向を変更させる回転機構部を備える請求項１に記載の駆動装置。
【請求項３】
前記保持部は複数の前記回転機構部を備え、
前記複数の回転機構部の回転軸が、互いに同軸且つ前記支持部の長手方向に対して平行に配置されている請求項２に記載の駆動装置。
【請求項４】
前記保持部は、前記保持部の延伸方向において互いに異なる位置に配置された複数の前記回転機構部を備える請求項２に記載の駆動装置。
【請求項５】
前記光源は、有機ＥＬ素子を含む面光源である請求項１〜４の何れか一項に記載の駆動装置。
【請求項６】
前記光源は面光源であり、
前記保持部は、前記面光源の発光面に対して交差する方向に延伸している請求項１〜５の何れか一項に記載の駆動装置。
【請求項７】
前記光源は面光源であり、
前記回転機構部による前記光源の回転方向には、前記光源からの光の照射方向と前記保持部の延伸方向とが一致する状態を基準として一方向とその反対方向とが含まれる請求項２〜４の何れか一項に記載の駆動装置。
【請求項８】
前記光源は面光源であり、
第１の前記駆動装置と、
第２の前記駆動装置と、
前記第１の駆動装置の前記保持部により保持された第１の前記光源と、前記第２の駆動装置の前記保持部により保持された第２の前記光源と、を連結する連結部と、
を備える請求項２〜４の何れか一項に記載の駆動装置。
【請求項９】
前記保持部は、前記光源を着脱自在に保持する請求項１〜８の何れか一項に記載の駆動装置。
【請求項１０】
前記照明器具取付装置は、前記直管型照明器具からの光を反射する反射板を備え、
前記反射板は、前記直管型照明器具からの光の照射方向に向けて互いの間隔が拡がるように配置された一対の板状部を含み、
前記保持部の長さは、当該保持部に前記光源が保持された状態で、当該光源と前記一対の板状部とが干渉しない長さに設定されている請求項１〜９の何れか一項に記載の駆動装置。
【請求項１１】
光源と、
一方向に長尺な支持部と、
前記支持部に連結し、前記光源を保持する保持部と、
前記光源を駆動させる駆動回路と、
前記支持部の長手方向における両端部にそれぞれ形成された一対の被固定部と、
を備え、
前記一対の被固定部の各々は、直管型照明器具が装着される照明器具取付装置の口金ソケットに装着可能な形状に形成され、
前記一対の被固定部のうちの少なくとも何れか一方は、前記駆動回路を経由して前記光源に供給される電力を前記口金ソケットから受電する受電端子であり、
前記保持部は、前記支持部の長手方向に対して交差する方向に向けて前記支持部より延伸し、当該保持部における前記支持部側とは反対側の端部にて前記光源を保持する発光装置。
【発明の詳細な説明】
【技術分野】
【０００１】
本発明は、光源を駆動させる駆動装置および発光装置に関する。
【背景技術】
【０００２】
直管型蛍光灯は、天井等に設置された蛍光灯取付器具に装着して用いられる。直管型蛍光灯は、その両端に口金を備え、各口金には端子が形成されている。蛍光灯取付器具は直管型蛍光灯の長手寸法と対応する間隔で配置された一対の口金ソケットを有する。直管型蛍光灯の両端の端子を蛍光灯取付器具の一対の口金ソケットに対してそれぞれ嵌め込んで固定することにより、直管型蛍光灯を蛍光灯取付器具に装着することができる。
【０００３】
一方、近年、有機ＥＬ（Ｅｌｅｃｔｒｏ  Ｌｕｍｉｎｅｓｃｅｎｃｅ）素子やＬＥＤ（Ｌｉｇｈｔ  Ｅｍｉｔｔｉｎｇ  Ｄｉｏｄｅ）などの低消費電力の発光素子が多く利用されるようになってきた。
【０００４】
特許文献１には、複数のＬＥＤを有するとともに直管型蛍光灯と同様の形状に形成された光源である直管型蛍光灯型ＬＥＤ照明装置を、蛍光灯取付器具に装着して発光させる技術が記載されている。
【０００５】
特許文献２には、ＬＥＤ蛍光灯をインバータ形蛍光灯取付器具に直接取り付けることを可能とする蛍光灯回路について記載されている。
【先行技術文献】
【特許文献】
【０００６】
【特許文献１】特開２０１０−１９２２４２号公報
【特許文献２】特開２０１２−１０４４６６号公報
【発明の概要】
【発明が解決しようとする課題】
【０００７】
特許文献１の技術では、光源すなわち直管型蛍光灯型ＬＥＤ照明装置を、直管型蛍光灯が本来装着される位置にしか配置できない。特許文献２の技術でも、蛍光灯が本来装着される位置にしかＬＥＤ蛍光灯を配置できない。これに対し、本発明者は、既存の蛍光灯取付器具等の照明器具取付装置に光源を取り付ける場合において、光源の配置の自由度を向上することに対してニーズがあると考えた。
【０００８】
本発明が解決しようとする課題としては、既存の蛍光灯取付器具等の照明器具取付装置に光源を装着でき、且つ、光源の配置の自由度を得ることが一例として挙げられる。
【課題を解決するための手段】
【０００９】
請求項１に記載の発明は、一方向に長尺な支持部と、
前記支持部に連結し、光源を保持する保持部と、
前記光源を駆動させる駆動回路と、
前記支持部の長手方向における両端部にそれぞれ形成された一対の被固定部と、
を備え、
前記一対の被固定部の各々は、直管型照明器具が装着される照明器具取付装置の口金ソケットに装着可能な形状に形成され、
前記一対の被固定部のうちの少なくとも何れか一方は、前記駆動回路を経由して前記光源に供給される電力を前記口金ソケットから受電する受電端子であり、
前記保持部は、前記支持部の長手方向に対して交差する方向に向けて前記支持部より延伸し、当該保持部における前記支持部側とは反対側の端部にて前記光源を保持する駆動装置である。
【００１０】
請求項１１に記載の発明は、光源と、
一方向に長尺な支持部と、
前記支持部に連結し、前記光源を保持する保持部と、
前記光源を駆動させる駆動回路と、
前記支持部の長手方向における両端部にそれぞれ形成された一対の被固定部と、
を備え、
前記一対の被固定部の各々は、直管型照明器具が装着される照明器具取付装置の口金ソケットに装着可能な形状に形成され、
前記一対の被固定部のうちの少なくとも何れか一方は、前記駆動回路を経由して前記光源に供給される電力を前記口金ソケットから受電する受電端子であり、
前記保持部は、前記支持部の長手方向に対して交差する方向に向けて前記支持部より延伸し、当該保持部における前記支持部側とは反対側の端部にて前記光源を保持する発光装置である。
【図面の簡単な説明】
【００１１】
【図１】実施形態に係る発光装置の斜視図である。
【図２】実施形態に係る発光装置を照明器具取付装置に取り付けた状態を示す図であり、このうち（ａ）は正面断面図、（ｂ）は平断面図である。
【図３】実施形態に係る発光装置の回路構成を示す模式図である。
【図４】図４（ａ）は実施形態に係る発光装置を反射板付きの照明器具取付装置に取り付けた状態を示す側断面図であり、図４（ｂ）は比較例に係る発光装置を反射板付きの照明器具取付装置に取り付けた状態を示す側断面図である。
【図５】実施例１に係る発光装置の斜視図である。
【図６】実施例１に係る発光装置の光源を示す図であり、このうち（ａ）は正面図、（ｂ）は下面図である。
【図７】光源が有機ＥＬ素子を含む面光源である場合の有機ＥＬ素子の構造の一例を示す断面図である。
【図８】有機機能層の層構造の第１例を示す断面図である。
【図９】有機機能層の層構造の第２例を示す断面図である。
【図１０】実施例２に係る発光装置の斜視図である。
【図１１】実施例３に係る発光装置の側断面図である。
【図１２】実施例１に係る発光装置を２灯用ベースライト逆富士型の照明器具取付装置に取り付けた状態を示す側断面図である（口金ソケット間が広い場合）。
【図１３】実施例３に係る発光装置を２灯用ベースライト逆富士型の照明器具取付装置に取り付けた状態を示す側断面図である（口金ソケット間が広い場合）。
【図１４】実施例１に係る発光装置を２灯用ベースライト逆富士型の照明器具取付装置に取り付けた状態を示す側断面図である（口金ソケット間が広い場合）。
【図１５】実施例３に係る発光装置を２灯用ベースライト逆富士型の照明器具取付装置に取り付けた状態を示す側断面図である（口金ソケット間が広い場合）。
【図１６】実施例４に係る発光装置を２灯用ベースライト逆富士型の照明器具取付装置に取り付けた状態を示す側断面図である。
【図１７】実施例５に係る発光装置の正面断面図である。
【図１８】実施例５に係る発光装置の斜視図である。
【図１９】図１９（ａ）は実施例６に係る発光装置の側断面図、図１９（ｂ）は実施例６に係る発光装置の光源を下側から見た斜視図である。
【発明を実施するための形態】
【００１２】
以下、実施の形態について、図面を用いて説明する。尚、すべての図面において、同様の構成要素には同一の符号を付し、適宜説明を省略する。
【００１３】
図１は実施形態に係る発光装置２００の斜視図である。図２は実施形態に係る発光装置を照明器具取付装置に取り付けた状態を示す図であり、このうち（ａ）は正面断面図、（ｂ）は平断面図である。なお、図２（ｂ）においては、光源２０の図示を省略している。
【００１４】
本実施形態に係る駆動装置１００は、一方向に長尺な支持部１０と、支持部１０に連結し、光源２０を保持する保持部（例えば、一対のアーム３０からなる）と、光源２０を駆動させる駆動回路と、支持部１０の長手方向における両端部にそれぞれ形成された一対の被固定部４０と、を備える。一対の被固定部４０の各々は、直管型照明器具が装着される照明器具取付装置５００の口金ソケット５２０に装着可能な形状に形成されている。一対の被固定部４０のうちの少なくとも何れか一方は、駆動回路を経由して光源２０に供給される電力を口金ソケット５２０から受電する受電端子である。保持部は、支持部１０の長手方向に対して交差する方向に向けて支持部１０より延伸し、当該保持部における支持部１０側とは反対側の端部にて光源２０を保持する。なお、駆動装置１００により駆動（発光）させられる光源２０は、例えばディスプレイ、照明装置、又は光通信装置の光源として用いることができる。
【００１５】
また、本実施形に係る発光装置２００は、本実施形態に係る駆動装置１００と光源２０とを備えている。すなわち発光装置２００は、光源２０と、一方向に長尺な支持部１０と、支持部１０に連結し、光源２０を保持する保持部（例えば、一対のアーム３０からなる）と、光源２０を駆動させる駆動回路と、支持部１０の長手方向における両端部にそれぞれ形成された一対の被固定部４０と、を備える。一対の被固定部４０の各々は、直管型照明器具が装着される照明器具取付装置５００の口金ソケット５２０に装着可能な形状に形成されている。一対の被固定部４０のうちの少なくとも何れか一方は、駆動回路を経由して光源２０に供給される電力を口金ソケット５２０から受電する受電端子である。保持部は、支持部１０の長手方向に対して交差する方向に向けて支持部１０より延伸し、当該保持部における支持部１０側とは反対側の端部にて光源２０を保持する。
【００１６】
支持部１０は、例えば棒状に形成されている。支持部１０の長手寸法は、照明器具取付装置５００に本来取り付けられる直管型蛍光灯などの直管型照明器具の長手寸法と同等の寸法に設定されている。ここで、直管型蛍光灯とは、直管蛍光灯又は特殊直管蛍光灯（Ｈｆ形蛍光灯等）を意味する。なお、支持部１０の短手方向の寸法（支持部１０の太さ）は特に限定しないが、支持部１０は片手で把持できる程度の太さであることが望ましい。
【００１７】
支持部１０の両端には、それぞれ被固定部４０が形成されている。各被固定部４０は、例えば、一対のピン４１を有している。
【００１８】
ここで、一般的な直管型蛍光灯の両端には、それぞれ口金が設けられている。各口金は、一対の口金ピンを有している。被固定部４０の一対のピン４１は、一般的な直管型蛍光灯の両端の口金に形成された口金ピンと同形状に形成され、且つ、口金ピンどうしの間隔と同じ間隔で配置されている。
【００１９】
上記のように、一対の被固定部４０のうちの少なくとも何れか一方は、駆動回路を経由して光源２０に供給される電力を口金ソケット５２０から受電する受電端子である。このため、少なくとも何れか一方の被固定部４０のピン４１、すなわち受電端子を構成するピン４１は、金属などの導体により構成されている。また、受電端子を構成するピン４１は、駆動回路を介して、光源２０の発光素子（後述）に対して電気的に接続されている。
【００２０】
発光装置２００は、少なくとも１つのアーム３０を有している。図１および図２には、発光装置２００が２つのアーム３０を有する例を示している。アーム３０の延伸方向は、支持部１０の長手方向に対して交差していればよい。図１および図２では、アーム３０の延伸方向が、支持部１０の長手方向に対して直交している例を示している。アーム３０は、例えば、支持部１０の下面に連結され、支持部１０の下面より下方に延伸している。２つのアーム３０は、互いに同じ長さに形成されている。２つのアーム３０は、支持部１０の長手方向において互いに異なる位置に配置されている。例えば、アーム３０における支持部１０側とは反対側の端部（例えばアーム３０の下端部）により光源２０が保持されている。
【００２１】
光源２０は、電力の入力により発光する発光素子を含んで構成されている。発光素子は、有機ＥＬ素子、無機ＥＬ素子、ＬＥＤ、蛍光灯などであることが挙げられる。光源２０は、面光源（面状の発光面を有する光源）でも良いし、その他の光源でも良い。面光源としては、発光素子として有機ＥＬ素子又は無機ＥＬ素子を有するものの他、ＬＥＤと導光板とを組み合わせて構成されたものや、複数のＬＥＤをアレイ状に配列することにより構成されたものが挙げられる。面光源以外の光源２０の形状の例としては、直管型、丸型（円環型）、ボール型などがある。
【００２２】
図１及び図２には、光源２０が面光源であるとともに、光源２０がアーム３０によって水平に保持されている例を示している。この場合、光源２０の発光面は、下向きでも良いし、上向きとなっていても良い。前者の場合、例えば、直接照明を行うことができ、後者の場合、例えば間接照明を行うことができる。また、光源２０は、下向きの発光面と上向きの発光面との双方を有していても良い。なお、発光面とは、光源２０において光を放射する面を意味する。
【００２３】
なお、駆動装置１００はなるべく軽量であることが好ましい。駆動装置１００において、端子や配線、回路基板等を除く部材は、樹脂などの軽量の材料により形成することが好ましい。また、駆動装置１００の材料として金属を用いる場合は、アルミニウムやマグネシウムなどの軽量の金属材料を用いることが好ましい。
【００２４】
図３は実施形態に係る発光装置２００の回路構成を示す模式図である。ここでは、光源２０が、有機ＥＬ発光素子又はＬＥＤ等の、商用電力の１００Ｖよりも低電圧で動作する発光素子を含む場合を例として、発光装置２００の回路構成例を説明する。
【００２５】
図３に示すように、発光装置２００の駆動回路は、ＡＣ／ＤＣコンバータ５１と、ＤＣ／ＤＣコンバータ５２と、を有している。ＡＣ／ＤＣコンバータ５１は、受電端子としてのピン４１から供給される交流電力を直流電力に変換する。すなわち、ＡＣ／ＤＣコンバータ５１は、直流電力を生成する。ＤＣ／ＤＣコンバータ５２は、ＡＣ／ＤＣコンバータ５１により生成された直流電力の電圧を降圧し、光源２０に供給する。なお、図３では、支持部１０の両端の被固定部４０の双方が、受電端子を構成している例を示している。
ここで、照明器具取付装置５００内には、例えば、安定器および予熱回路（グロースターター）が設けられている場合がある。その場合、これら安定器および予熱回路が照明器具取付装置５００内の回路から除外されるように、照明器具取付装置５００内の配線を変更することにより、発光装置２００に過大な電圧が印加されてしまうことを抑制することができる。或いは、発光装置２００の駆動回路は、既存の照器具取付装置５００にＬＥＤ等の直流駆動光源を接続して使用するための公知の回路としても良い。一例として、駆動回路は、特許文献２に記載された蛍光灯回路と同様に、コンデンサ、整流ユニット（ＡＣ／ＤＣコンバータ）および定電流ユニット（ＤＣ／ＤＣコンバータ）を有するものとすることができる。
【００２６】
駆動回路は、支持部１０内に設けられていても良いし、支持部１０の外面に固定されていても良い。或いは、駆動回路は、保持部内に設けられていたり、保持部の外面に固定されていても良い。或いは、駆動回路は、光源２０と一体に設けられていても良い。
【００２７】
次に、図２を参照して、照明器具取付装置５００について説明する。
【００２８】
照明器具取付装置５００は、直管型蛍光灯などの直管型照明器具が装着されるものである。照明器具取付装置５００は、本体部５１０と、本体部５１０に設けられた一対の口金ソケット５２０と、を有している。本体部５１０は、例えば、天井などの高所に設置される。
【００２９】
一対の口金ソケット５２０は互いに対向して配置されている。一対の口金ソケット５２０の対向間隔は、照明器具取付装置５００に取り付けられる直管型照明器具の長手寸法と対応している。
【００３０】
また、口金ソケット５２０には、それぞれ一対の固定穴５２１が形成されている。各固定穴５２１には、直管型照明器具の両端に形成された口金ピンに接触する給電端子が形成されている。各口金ソケット５２０の固定穴５２１に直管型照明器具の口金ピンが挿入されることにより、直管型照明器具が照明器具取付装置５００に取り付けられるとともに、照明器具取付装置５００に対しての口金ピンと固定穴５２１内の給電端子とが相互に電気的に接続する。
【００３１】
なお、照明器具取付装置５００は、複数個の直管型照明器具を取り付け可能に構成されていても良い。この場合、照明器具取付装置５００は、複数対の口金ソケット５２０を有している。
【００３２】
なお、図示しない操作スイッチを操作することによって、照明器具取付装置５００に対して商用電源などの交流電源から交流電力が供給される状態と、該交流電力が照明器具取付装置５００に対して供給されない状態と、の切替が可能となっている。
【００３３】
次に、動作を説明する。
【００３４】
先ず、発光装置２００を照明器具取付装置５００に取り付ける。このためには、直管型照明器具を照明器具取付装置５００に取り付ける動作と同様に、支持部１０を照明器具取付装置５００に取り付ける。すなわち、図２に示すように、支持部１０の一方の被固定部４０のピン４１の各々を、照明器具取付装置５００の一方の口金ソケット５２０の一対の固定穴５２１にそれぞれ嵌め込むとともに、支持部１０の他方の被固定部４０のピン４１の各々を、照明器具取付装置５００の他方の口金ソケット５２０の一対の固定穴５２１にそれぞれ嵌め込んで、各被固定部４０を各口金ソケット５２０に固定する。
【００３５】
これにより、各口金ソケット５２０の固定穴５２１内の給電端子に対して、ピン４１が接触する。この状態で操作スイッチを操作して、交流電源から照明器具取付装置５００に対して交流電力を供給することにより、この交流電力が、口金ソケット５２０の給電端子から発光装置２００のピン４１に入力される。この交流電力は、ＡＤ／ＤＣコンバータ５１により直流電力に変換され、更に、ＤＣ／ＤＣコンバータ５２により高圧された後に、光源２０の発光素子に供給される。光源２０が有する発光素子は、ＤＣ／ＤＣコンバータ５２から供給される直流電力により発光する。
【００３６】
なお、直管型照明器具を照明器具取付装置５００から取り外すのと同様の動作を行うことによって、発光装置２００を照明器具取付装置５００から容易に取り外すことも可能である。
【００３７】
図４（ａ）は実施形態に係る発光装置２００を反射板付きの照明器具取付装置５００に取り付けた状態を示す側断面図であり、図４（ｂ）は比較例に係る発光装置を反射板付きの照明器具取付装置５００に取り付けた状態を示す側断面図である。なお、図４（ａ）および（ｂ）では、口金ソケット５２０の形状を分かりやすくするために、口金ソケット５２０にのみハッチングを付与し、他の構成要素にはハッチングを付していない。図４（ａ）および図４（ｂ）において断面となっている部分は、反射板５１１を含む本体部５１０、支持部１０および光源２０であるが、これらについてはハッチングを省略している。照明器具取付装置５００は、反射板５１１を備える場合も多い。反射板５１１は、一般に傘とも呼ばれる部材であり、直管型照明器具からの光を反射する。反射板５１１は、それぞれ反対方向に傾斜した一対の板状部からなる。これら板状部どうしの対向間隔は、下方に向けて徐々に拡がっている。すなわち、照明器具取付装置５００は、直管型照明器具からの光を反射する反射板５１１を備え、反射板５１１は、直管型照明器具からの光の照射方向に向けて互いの間隔が拡がるように配置された一対の板状部を含む。
【００３８】
図４（ｂ）に示す比較例に係る発光装置は、アーム３０を有していない点で、実施形態に係る発光装置２００と相違し、その他の点では、実施形態に係る発光装置２００と同様に構成されている。この発光装置においては、支持部１０の下面に対して光源２０が直接固定されている。比較例に係る発光装置は、アーム３０を有していないため、光源２０の寸法が大きい場合、光源２０と反射板５１１とが干渉してしまい、反射板付きの照明器具取付装置５００に取り付けできない場合もある。
【００３９】
これに対して、本実施形態に係る発光装置２００の場合、図４（ａ）に示すように、アーム３０を有しているとともに、アーム３０の長さは、アーム３０に光源２０が保持され、且つ、発光装置２００が反射板付きの照明器具取付装置５００に取り付けられた状態で、光源２０と一対の板状部（反射板５１１）とが干渉しない長さに設定されている。このため、光源２０の寸法や形状にかかわらず、発光装置２００を反射板付きの照明器具取付装置５００に対して容易に取り付けることができる。特に、光源２０が面光源である場合に、反射板５１１との干渉を抑制しつつ、光源２０を反射板付きの照明器具取付装置５００に取り付けて用いることができる。より具体的には、アーム３０は、その下端部が反射板５１１よりも下方に突出する長さに設定されている。
【００４０】
以上、本実施形態によれば、駆動装置１００（発光装置２００）は、一方向に長尺な支持部１０と、支持部１０に連結し且つ光源２０を保持するアーム３０と、光源２０を駆動させる駆動回路と、支持部１０の長手方向における両端部にそれぞれ形成された一対の被固定部４０と、を備える。一対の被固定部４０の各々は、直管型照明器具が装着される照明器具取付装置５００の口金ソケット５２０に装着可能な形状に形成されている。一対の被固定部４０のうちの少なくとも何れか一方は、駆動回路を経由して光源２０に供給される電力を口金ソケット５２０から受電する受電端子である。そして、アーム３０は、支持部１０の長手方向に対して交差する方向に向けて支持部１０より延伸している。よって、光源２０を、本来直管型照明器具が取り付けられる位置とは異なる位置に配置することができる。これにより、光源２０を照明器具取付装置５００に対して干渉させずに、光源２０を照明器具取付装置５００に取り付けて用いることができる。また、光源２０としては、照明器具取付装置５００に本来取り付けられる直管型照明器具とは異なる形状のもの（面光源など）を用いることができる。また、適切な駆動回路を設けることにより、光源２０としては、照明器具取付装置５００に本来取り付けられる直管型照明器具とは駆動方式が異なる種類のものを用いることができる。
また、アーム３０の延伸方向におけるアーム３０の寸法が互いに異なる複数種類の駆動装置１００（又は発光装置２００）を準備しておけば、そのうち所望の寸法のアーム３０を有する駆動装置１００（又は発光装置２００）を照明器具取付装置５００に取り付けることにより、光源２０の配置の選択の自由度が得られる。
同様に、支持部１０からのアーム３０の延伸方向が互いに異なる複数種類の駆動装置１００（又は発光装置２００）を準備しておけば、そのうち所望の駆動装置１００（又は発光装置２００）を照明器具取付装置５００に取り付けることにより、光源２０の配置の選択の自由度が得られる。
【００４１】
このように、本実施形態によれば、既存の蛍光灯取付器具等の照明器具取付装置５００に光源２０を装着でき、且つ、光源２０の配置の自由度を得ることが可能である。
【実施例】
【００４２】
（実施例１）
図５は実施例１に係る発光装置２００の斜視図である。この発光装置２００は、以下に説明する点で、上記の実施形態に係る発光装置２００と相違し、その他の点では、上記の実施形態に係る発光装置２００と同様に構成されている。なお、本実施例の場合も、発光装置２００は、光源２０と駆動装置１００とを備えて構成されている。
【００４３】
本実施例の場合、アーム３０は、支持部１０に対する光源２０からの光の照射方向を変更させる回転機構部としてのヒンジ部（回転機構部）６０を備えている。アーム３０は、このヒンジ部６０を介して光源２０に対して連結されることによって、光源２０を保持している。なお、ヒンジ部６０は、例えば、１軸ヒンジである。光源２０をヒンジ部６０の回転軸周りに動かすことによって、光源２０の姿勢を任意に変更し、光源２０からの光の照射方向を変更することができる。
【００４４】
アーム３０は、例えば、その先端部にヒンジ部６０を備えており、アーム３０の棒状の本体部３１と光源２０とを相互に回転可能に連結している。ただし、後述するように、アーム３０は、その基端部にヒンジ部６０を備えており、本体部３１と支持部１０とを相互に回転可能に連結していても良い（図１２参照）。
【００４５】
本実施例でも、発光装置２００は、２つのアーム３０を有している。そして、各アーム３０がヒンジ部６０を備えている。更に、各アーム３０のヒンジ部６０の回転軸は、互いに同軸且つ支持部１０の長手方向に対して平行に配置されている。すなわち、保持部（例えば２つのアーム３０からなる）は、複数の回転機構部を備え、複数の回転機構部の回転軸が、互いに同軸且つ支持部１０の長手方向に対して平行に配置されている。これにより、光源２０を、支持部１０の長手方向に対して平行な回転軸周りに動かして、光源２０の姿勢を変更することができる。
【００４６】
光源２０は、面光源である。アーム３０は、面光源である光源２０の発光面に対して交差する方向（具体的には、例えば、直交する方向）に延伸している。よって、光源２０の発光面が向く方向を、アーム３０の延伸方向を方向成分として含む方向（又はその反対方向）にすることができる。具体的には、例えば、発光面をアーム３０の延伸方向に向けることができる。
【００４７】
また、ヒンジ部６０による光源２０の回転方向には、光源２０からの光の照射方向とアーム３０の延伸方向とが一致する状態を基準として、一方向（図５の矢印Ａ方向）とその反対方向（図５の矢印ＡＢ向）とが含まれる。
【００４８】
図６は実施例１に係る発光装置２００の光源２０を示す図であり、このうち（ａ）は正面図、（ｂ）は下面図である。図６に示すように、光源２０は、固定板２１と、この固定板２１に固定された発光素子２２と、を備えている。なお、図６では、発光素子２２が固定板２１の下面に固定された例を示しているが、発光素子２２は、固定板２１の上面に固定されていても良いし、固定板２１の上面及び下面の双方に固定されていても良い。
【００４９】
光源２０は、例えば、平板なパネル状に形成されている。一例として、光源２０の平面形状は、矩形状であることが挙げられるが、その他の多角形状（五角形、六角形など）でも良いし、円形、楕円形、長円形などの曲線状の外形形状のものであっても良い。また、光源２０は、その外形線が曲線と直線とを含む形状のものであっても良い。
【００５０】
発光素子２２は、例えば、有機ＥＬ素子である。すなわち、光源２０は、例えば、有機ＥＬ発光素子を含む面光源である。
【００５１】
図７は光源２０が発光素子２２として有機ＥＬ素子を含む場合の有機ＥＬ素子の構造の一例を示す断面図である。
【００５２】
有機ＥＬ素子は、例えば、透光性基板１１０と、透光性の第１電極１３０と、有機機能層１４０と、第２電極１５０と、を有する。第１電極１３０は、透光性基板１１０の一方の面側（図７において下面側）に配置されている。有機機能層１４０は、第１電極１３０を基準として透光性基板１１０とは反対側（図７において下側）に配置されている。第２電極１５０は、有機機能層１４０を基準として第１電極１３０とは反対側（図７において下側）に配置されている。なお、透光性基板１１０と第１電極１３０とは相互に接していても良いし、それらの間に他の層が存在していても良い。同様に、第１電極１３０と有機機能層１４０とは相互に接していても良いし、それらの間に他の層が存在していても良い。同様に、有機機能層１４０と第２電極１５０とは相互に接していても良いし、それらの間に他の層が存在していても良い。また、第２電極１５０の下面には必要に応じて封止層を形成しても良い。
【００５３】
透光性基板１１０は、ガラスや樹脂などの透光性を有する材料からなる板状部材である。例えば、透光性基板１１０の上面、すなわち透光性基板１１０における有機機能層１４０とは反対側の面は、平坦な光取り出し面となっている。この光取り出し面は、光放出空間を充たす空気（屈折率１）と接している。なお、透光性基板１１０の上面には、光拡散フィルムなどの光取り出しフィルムが貼り付けられており、この光取り出しフィルムの上面が光取り出し面を構成していても良い。
【００５４】
第１電極１３０は、例えばＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）などの金属酸化物導電体からなる透明電極とすることができる。ただし、第１電極１３０は、光が透過する程度に薄い金属薄膜であっても良い。有機機能層１４０は、少なくとも発光層を含んで構成されている。第２電極１５０は、例えば、ＡｌやＡｇなどの金属膜からなる反射電極である。第２電極１５０は、有機機能層１４０から第２電極１５０側に向かう光を、透光性基板１１０側に向けて反射する。
【００５５】
第１電極１３０と第２電極１５０との間に電圧が印加されることにより、有機機能層１４０の発光層が発光する。透光性基板１１０、第１電極１３０及び有機機能層１４０は、いずれも、有機機能層１４０の発光層が発光した光の少なくとも一部を透過する。発光層が発光した光の一部は、透光性基板１１０の光取り出し面から、発光素子の外部（つまり上記光放出空間）に放射される（取り出される）。
【００５６】
なお、有機ＥＬ素子の発光色、すなわち発光スペクトル（発光する光の波長スペクトル）は特に限定しない。有機ＥＬ素子は、発光色を様々な色に変化させることができるような構造のものであっても良いし、常時白などの単色の発光色で発光するものであっても良い。また、有機ＥＬ素子は、複数の領域に分割されていて、各領域毎に異なる発光色に設定できるようになっていても良い。
【００５７】
以下、有機機能層１４０の層構造のより具体的な例を説明する。
【００５８】
図８は有機機能層１４０の層構造の第１例を示す断面図である。この有機機能層１４０は、正孔注入層１４１、正孔輸送層１４２、発光層１４３、電子輸送層１４４、及び電子注入層１４５をこの順に積層した構造を有している。すなわち有機機能層１４０は、有機エレクトロルミネッセンス発光層である。なお、正孔注入層１４１及び正孔輸送層１４２の代わりに、これら２つの層の機能を有する一つの層を設けてもよい。同様に、電子輸送層１４４及び電子注入層１４５の代わりに、これら２つの層の機能を有する一つの層を設けてもよい。
【００５９】
発光層１４３は、例えば赤色の光を発光する層、青色の光を発光する層、又は緑色の光を発光する層である。この場合、平面視において、赤色の光を発光する発光層１４３を有する領域、緑色の光を発光する発光層１４３を有する領域、及び青色の光を発光する発光層１４３を有する領域が繰り返し設けられていても良い。この場合、各領域を同時に発光させると、発光装置は白色等の単一の発光色で発光する。また、赤色、緑色、青色の各領域の光量のバランスを調節する制御を行うことにより、様々な光スペクトルでの発光を行うことができるようになっていても良い。
【００６０】
なお、発光層１４３は、複数の色を発光するための材料を混ぜることにより、白色等の単一の発光色で発光するように構成されていても良い。
【００６１】
図９は有機機能層１４０の層構造の第２例を示す断面図である。この有機機能層１４０の発光層１４３は、発光層１４３ａ、１４３ｂ、１４３ｃをこの順に積層した構成を有している。発光層１４３ａ、１４３ｂ、１４３ｃは、互いに異なる色の光（例えば赤、緑、及び青）を発光する。そして発光層１４３ａ、１４３ｂ、１４３ｃが同時に発光することにより、発光装置は白色等の単一の発光色で発光する。また、赤色、緑色、青色の各発光層１４３ａ、１４３ｂ、１４３ｃの光量のバランスを調節する制御を行うことにより、様々な光スペクトルでの発光を行うことができるようになっていても良い。
【００６２】
ここで、一般的に、直管型照明器具の長手寸法は規格によっていくつかの長さに定められているため、一対の口金ソケット５２０の対向間隔は、その何れかの長さに設定されている。従って、支持部１０の長手寸法も、その規格によって定められたいくつかの長さのうちの何れかの寸法と対応する寸法に設定されている。直管型照明器具の具体的な長さ寸法としては、１３４．５ｍｍ、２１０．５ｍｍ、２８７ｍｍ、３３０ｍｍ、４３６ｍｍ、５００ｍｍ、５８０ｍｍ、６８５ｍｍ、７００ｍｍ、８３５ｍｍ、６３０ｍｍ、８３０ｍｍ、１００ｍｍ０、１１９８ｍｍ、１４９８．５ｍｍ、２３６７ｍｍ又は５８８．５ｍｍがある。
【００６３】
また、口金ソケット５２０の固定穴５２１の形状および寸法も規格によって定めされている。その規格は、例えば、ＪＩＳ  Ｃ  ７７０９−１である。口金ソケット５２０は、例えば、ＪＩＳ  Ｃ  ７７０９−１に準拠する規格寸法のものである。また、被固定部４０のピン４１は、ＪＩＳ  Ｃ  ７７０９−１に準拠する規格寸法の口金ソケット５２０に適合する形状に形成されている。口金ソケット５２０は、例えば、Ｇ１３口金ソケット、Ｇ５口金ソケット又はＲ１７ｄ口金ソケットなどである。また、被固定部４０のピン４１は、Ｇ１３口金の口金ピン、Ｇ５口金の口金ピン又はＲ１７ｄ口金の口金ピンと同形状に形成されている。
【００６４】
本実施例によれば、上記の実施形態と同様の効果が得られる他、以下の効果が得られる。
【００６５】
アーム３０は、光源２０からの光の照射方向を変更させるヒンジ部６０を備えているので、光源２０をヒンジ部６０の回転軸周りに動かすことによって、光源２０の姿勢を任意に変更し、光源２０からの光の照射方向を変更することができる。
【００６６】
また、保持部（例えば２つのアーム３０からなる）は、複数のヒンジ部６０を備え、複数のヒンジ部６０の回転軸が、互いに同軸且つ支持部１０の長手方向に対して平行に配置されている。よって、光源２０を、支持部１０の長手方向に対して平行な回転軸周りに動かして、光源２０の姿勢を変更することができる。
【００６７】
また、光源２０は、有機ＥＬ素子を含む面光源である。よって、本来は蛍光灯などの照明器具が取り付けられる照明器具取付装置５００に対して、蛍光灯などとは異種の発光素子である有機ＥＬ素子を有する光源２０を取り付けて用いることができる。
【００６８】
また、光源２０は面光源であり、アーム３０は、面光源の発光面に対して交差する方向に延伸しているので、光源２０の発光面が向く方向を、アーム３０の延伸方向を方向成分として含む方向（又はその反対方向）にすることができる。
【００６９】
また、光源２０は面光源であり、ヒンジ部６０による光源２０の回転方向には、光源２０からの光の照射方向とアーム３０の延伸方向とが一致する状態を基準として、一方向とその反対方向とが含まれている。よって、光源２０の向きを高い自由度で変更することができる。
【００７０】
（実施例２）
図１０は実施例２に係る発光装置２００の斜視図である。本実施例に係る発光装置２００は、以下に説明する点で、上記の実施例１に係る発光装置２００と相違し、その他の点では、上記の実施例１に係る発光装置２００と同様に構成されている。なお、本実施例の場合も、発光装置２００は、光源２０と駆動装置１００とを備えて構成されている。
【００７１】
本実施例の場合、面光源である光源２０が複数の部分に分かれている。図１０には、光源２０が２つの部分（第１部分２０ａおよび第２部分２０ｂ）からなる例を示している。光源２０の各部分２０ａ、２０ｂは、個別に１つ以上のアーム３０を介して支持部１０により支持されている。また、各部分２０ａ、２０ｂを保持するアーム３０は、それぞれヒンジ部６０を有している。
【００７２】
本実施例によっても、上記の実施例１と同様の効果が得られる。また、各部分２０ａ、２０ｂを保持するアーム３０は、それぞれヒンジ部６０を有しているため、各部分２０ａ、２０ｂの向きを個別に変更することができる。
【００７３】
（実施例３）
図１１は実施例３に係る発光装置２００の側断面図である。なお、図１１と、後述する図１２〜図１６では、口金ソケット５２０の形状を分かりやすくするために、口金ソケット５２０にのみハッチングを付し、他の構成要素にはハッチングを付していない。図１１〜図１６において断面となっている部分は、本体部５１０、支持部１０および光源２０であるが、これらについてはハッチングを省略している。本実施例に係る発光装置２００は、以下に説明する点で、上記の実施例１に係る発光装置２００と相違し、その他の点では、上記の実施例１に係る発光装置２００と同様に構成されている。なお、本実施例の場合も、発光装置２００は、光源２０と駆動装置１００とを備えて構成されている。
【００７４】
本実施例の場合、アーム３０は、アーム３０の延伸方向において互いに異なる位置に配置された複数のヒンジ部６０を備える。
【００７５】
具体的には、アーム３０は、２つのヒンジ部６０を備えている。この２つのヒンジ部６０の回転軸は互いに平行となっている。また、この２つのヒンジ部６０の回転軸は、それぞれ支持部１０の長手方向に対して平行となっている。２つのヒンジ部６０のうちの一方（上側のヒンジ部６０）は、アーム３０の棒状の本体部３１と支持部１０とを相互に回転可能に連結し、他方（下側のヒンジ部６０）は、本体部３１と光源２０とを相互に回転可能に連結している。このため、一方のヒンジ部６０の回転軸周りに、支持部１０に対して相対的に本体部３１を回転させることができる。また、他方のヒンジ部６０の回転軸周りに、本体部３１に対して相対的に光源２０を回転させることができる。
【００７６】
なお、光源２０の平面形状は、矩形状であるものとする。
【００７７】
図１２は照明器具取付装置５００が２灯用の照明器具取付装置（２灯用ベースライト逆富士型）である場合に、照明器具取付装置５００に対して上記の実施例１に係る発光装置２００を２つ取り付けた状態を示す側断面図である。
【００７８】
図１２に示すように、２灯用ベースライト逆富士型の照明器具取付装置５００の本体部５１０の下面は、下向きに凸の形状となっている。本体部５１０の下面は、互いに反対方向に傾斜した一対の傾斜面５１０ａ、５１０ｂを有する。これら傾斜面５１０ａ、５１０ｂには、それぞれ一対ずつの口金ソケット５２０が設けられている。傾斜面５１０ａに設けられた一対の口金ソケット５２０は互いに対向しているとともに、傾斜面５１０ｂに設けられた一対の口金ソケット５２０は互いに対向している。
【００７９】
図１２に示すように、上記の実施例１に係る発光装置２００を２灯用ベースライト逆富士型の照明器具取付装置５００に２つ取り付ける場合、傾斜面５１０ａ側の口金ソケット５２０と傾斜面５１０ｂ側の口金ソケット５２０との間隔Ｄが広いと、２つの発光装置２００の光源２０どうしの間に隙間が生じることがある。この場合、２つの発光装置２００の光源２０どうしを互いに隙間無く配置すると、図示は省略するが、２つの光源２０がハの字型となり、それぞれ水平にはできない。なお、図１２には、ヒンジ部６０がアーム３０の上端部に配置されている例を示しているが、ヒンジ部６０がアーム３０の下端部に配置されている場合、光源２０どうしの隙間が更に広くなる。
【００８０】
図１３は実施例３に係る発光装置２００を２灯用ベースライト逆富士型の照明器具取付装置５００に取り付けた状態を示す側断面図である。なお、図１３では、各アーム３０が有するヒンジ部６０の数以外の構成（各構成要素の寸法等）については、図１２と同一に設定されているものとする。
【００８１】
本実施例に係る発光装置２００を２灯用ベースライト逆富士型の照明器具取付装置５００に２つ取り付ける場合、図１３に示すように、各アーム３０の２つのヒンジ部６０にてそれぞれ個別に角度を調整することにより、光源２０の寸法にもよるが、２つの発光装置２００の光源２０をそれぞれ水平に、互いに隙間無く、同一平面内に配置することができる。具体的には、図１３の例では、２つの発光装置２００のアーム３０がＸ脚状となるようにヒンジ部６０の角度を調整している。
【００８２】
図１４は実施例１に係る発光装置２００を２灯用ベースライト逆富士型の照明器具取付装置５００に取り付けた状態を示す側断面図である。なお、図１４では、傾斜面５１０ａ側の口金ソケット５２０と傾斜面５１０ｂ側の口金ソケット５２０との間隔Ｄが、図１２に示すものよりも狭い。この場合、図１４に示すように、２つの光源２０がＶ字型となり、それぞれ水平にはできないことがある。
【００８３】
図１５は実施例３に係る発光装置２００を２灯用ベースライト逆富士型の照明器具取付装置５００に取り付けた状態を示す側断面図である。なお、図１５では、各アーム３０が有するヒンジ部６０の数以外の構成（各構成要素の寸法等）については、図１４と同一に設定されているものとする。
【００８４】
この場合、図１５に示すように、２つの発光装置２００の光源２０をそれぞれ水平に、互いに隙間無く、同一平面内に配置することができる。具体的には、図１５の例では、２つの発光装置２００のアーム３０がＯ脚状となるようにヒンジ部６０の角度を調整している。
【００８５】
本実施例によれば、上記の実施例１と同様の効果が得られる他、アーム３０は、アーム３０の延伸方向において互いに異なる位置に配置された複数のヒンジ部６０を備えているので、光源２０の姿勢及び配置をより高い自由度で変更することができる。
【００８６】
具体的には、例えば、２灯用ベースライト逆富士型の照明器具取付装置５００に２つの発光装置２００を取り付けた場合に、２つの光源２０の発光面を互いに平行且つ同一平面内に配置し、且つ、２つの光源２０どうしを互いに隙間無く配置することができる。これにより、２つの光源２０を含む発光装置の意匠性を向上できるとともに、発光効率を高めることができる。
また、光源２０の寸法が複数種類存在する場合に、光源２０の寸法によらず、２つの光源２０の発光面を互いに平行且つ同一平面内に配置し、且つ、２つの光源２０どうしを互いに隙間無く配置することができる。
【００８７】
（実施例４）
図１６は実施例４に係る発光装置を２灯用ベースライト逆富士型の照明器具取付装置５００に取り付けた状態を示す側断面図である。ここで、本実施例に係る発光装置は、図１６に示す２つの発光装置２００を備えて構成されている。各発光装置２００は、以下に説明する点で、上記の実施例３に係る発光装置２００と相違し、その他の点では、上記の実施例１に係る発光装置２００と同様に構成されている。なお、本実施例の場合も、発光装置２００は、光源２０と駆動装置１００とを備えて構成されている。本実施例に係る駆動装置は、図１６に示す２つの駆動装置１００を備えて構成されている。
【００８８】
本実施例に係る発光装置は、２つの光源２０を相互に接する状態で連結する連結部７０を備えている。すなわち、本実施例に係る駆動装置は、第１の駆動装置１００（例えば図１６の左側の駆動装置１００）と、第２の駆動装置１００（例えば図１６の右側の駆動装置１００）と、連結部７０と、を備えている。連結部７０は、第１の駆動装置１００のアーム３０により保持された第１の光源２０と、第１の駆動装置１００のアーム３０により保持された第２の光源２０と、を連結する。
【００８９】
第１の光源２０および第２の光源２０は、それぞれ平板状の面光源である。連結部７０により相互に連結された２つの光源２０のなす角度は一定に維持される。具体的には、連結部７０は、例えば、第１の光源２０と第２の光源２０とがそれぞれ水平に、且つ、互いに同一平面内に位置するように、第１の光源２０と第２の光源２０とを相互に連結および固定する（２つの光源２０のなす角度は１８０度である。）。
【００９０】
連結部７０は、第１の光源２０と第２の光源２０との各々に対して固定されている。連結部７０を第１の光源２０および第２の光源２０に対してそれぞれ固定する態様は限定されない。例えば、ビスなどの止着部材を用いて固定されていても良いし、係り合いなどによって固定されるようになっていても良い。
【００９１】
本実施例によれば、上記の実施例１と同様の効果が得られる他、発光装置は、それぞれ面光源である２つの光源２０を相互に連結する連結部７０を備えているので、２つの光源２０を、連結部７０を介して連結することにより、各光源２０の角度および位置が一義的に定まるため、光源２０の角度及び位置の調整が不要となり、発光装置の取付作業が容易になる。
なお、連結部７０によって、２つの光源２０を相互に接する状態に連結することとすれば、連結部７０によって、これら２つの光源２０が互いに接する状態を維持することができる。よって、２つの光源２０が配置された領域における発光の色ムラを抑制することができる。一方、連結部７０によって、２つの光源２０を相互に離間した状態で連結することとすれば、２つの光源２０の隙間から放熱を行うことができるという利点がある。
【００９２】
（実施例５）
図１７は実施例５に係る発光装置２００の正面断面図、図１８は実施例５に係る発光装置２００の斜視図である。本実施例に係る発光装置２００は、以下に説明する点で、上記の実施形態に係る発光装置２００と相違し、その他の点では、上記の実施形態に係る発光装置２００と同様に構成されている。なお、本実施例の場合も、発光装置２００は、光源２０と駆動装置１００とを備えて構成されている。
【００９３】
上記においては、保持部が複数又は単数のアーム３０により構成されている例を説明した。これに対し、本実施例の場合、保持部は、複数又は単数のアーム３０と、アーム３０により支持された保持枠３２と、を有し、保持枠３２によって光源２０を保持する。
【００９４】
保持枠３２は、光源２０を着脱自在に保持している。すなわち、保持部は、光源２０を着脱自在に保持する。
【００９５】
保持枠３２は、例えば、本体部３２１と、複数の保持爪３２２と、を有している。本体部３２１は、平板状に形成されている。本体部３２１の下面には、光源２０を保持する保持凹部３２１ａが形成されている。保持爪３２２は、保持枠３２１の周縁部より下方に垂下しており、保持凹部３２１ａに収容された状態の光源２０に対して係合することによって、光源２０が保持凹部３２１ａに収容された状態に維持する。保持爪３２２は弾性変形可能に構成されており、光源２０を保持凹部３２１ａ内に押し込むことによって、光源２０に対して係合する。また、保持爪３２２が光源２０から係合解除される方向に保持爪３２２を弾性変形させることによって、光源２０を保持枠３２１から取り外すことができる。
【００９６】
本実施例によれば、上記の実施形態と同様の効果が得られる他、保持部は、光源２０を着脱自在に保持するので、光源２０が劣化した場合などに、光源２０を容易に交換することができる。
【００９７】
（実施例６）
図１９（ａ）は実施例６に係る発光装置２００の側断面図、図１９（ｂ）は実施例６に係る発光装置２００の光源２０を下側から見た斜視図である。本実施例に係る発光装置２００は、以下に説明する点で、上記の実施形態に係る発光装置２００と相違し、その他の点では、上記の実施形態に係る発光装置２００と同様に構成されている。なお、本実施例の場合も、発光装置２００は、光源２０と駆動装置１００とを備えて構成されている。
【００９８】
上記においては、光源２０が面光源である場合に、光源２０が平板状である例を説明した。これに対し、本実施例の場合、光源２０は、面光源であるとともに、曲面状の（湾曲した）発光面を有する。
【００９９】
発光素子２２として可撓性の有機ＥＬ素子を用いることにより、容易に、曲面状の発光面を有する光源２０を作製することができる。
【０１００】
図１９では、発光面が半円筒状である例を示している。この場合、図１９（ａ）に示す断面内における各発光点からの光を一点に集中させることができる。なお、発光面は、その他の曲面形状であっても良い。
【０１０１】
本実施例によれば、上記の実施例１と同様の効果が得られる。また、光源２０は、曲面状の発光面を有しているので、発光面を、より目的に合致した形状のものとすることができる。
【０１０２】
以上、図面を参照して実施形態及び実施例について述べたが、これらは本発明の例示であり、上記以外の様々な構成を採用することもできる。
【０１０３】
例えば、上記においては、回転機構部として１軸ヒンジを例示したが、回転機構部は、２軸ヒンジなどの多軸ヒンジであっても良いし、ボールジョイントであっても良い。
【０１０４】
また、支持部１０は、当該支持部１０の長手寸法を調節可能に構成されていても良い。この場合、支持部１０は、例えば、外管と、外管の内部に挿入された内管と、を有し、内管が外管の一端より任意量だけ繰り出し可能になっている。支持部１０の長手寸法は、段階的な複数種類の長さのうちの何れかの長さに設定できるようになっていても良いし、連続的な任意の長さに設定できるようになっていても良い。
【符号の説明】
【０１０５】
１０ 支持部
２０ 光源
２２ 発光素子
３０ アーム（保持部を構成する）
４０ 被固定部
４１ ピン
６０ ヒンジ部（回転機構部）
７０ 連結部
１００ 駆動装置
２００ 発光装置
５００ 照明器具取付装置
５１１ 反射板
５２０ 口金ソケット
【図１】
2014165137.tif 000003
【図２】
2014165137.tif 000004
【図３】
2014165137.tif 000005
【図４】
2014165137.tif 000006
【図５】
2014165137.tif 000007
【図６】
2014165137.tif 000008
【図７】
2014165137.tif 000009
【図８】
2014165137.tif 000010
【図９】
2014165137.tif 000011
【図１０】
2014165137.tif 000012
【図１１】
2014165137.tif 000013
【図１２】
2014165137.tif 000014
【図１３】
2014165137.tif 000015
【図１４】
2014165137.tif 000016
【図１５】
2014165137.tif 000017
【図１６】
2014165137.tif 000018
【図１７】
2014165137.tif 000019
【図１８】
2014165137.tif 000020
【図１９】
2014165137.tif 000021